(57)【特許請求の範囲】
【請求項１】
４角形の第１〜第ｎ用紙片を折線を介して一方向に順に連接してなる短冊状のリーフレット部の連接方向である長手方向の一方の側の辺において、前記第１用紙片に補助ディスプレーパネルをミシン目を介して連接し、第３用紙片に糊代片をミシン目を介して連接し、前記第２用紙片に打ち抜き孔を設けた吊り下げリング片を連接し、他の側の辺において、前記第１用紙片に係止片を折線を介して連接してなるブランクを、第ｎ用紙片を内側にして前記折線で第１〜第ｎ用紙片を順次巻き折りし、さらにｎ枚に重合された前記リーフレット部を前記第１用紙片を表側にして前記折線と直角に裏側に二つ折りしてなり、前記第１用紙片の表面積の略半分と前記補助ディスプレーパネルの表面積との和からなる部分をディスプレー面とし、前記係止片と前記吊り下げリング片の前記打ち抜き孔との係止を可能とし、前記補助ディスプレーパネルと前記糊代片とを貼り合わせて封止し、貼り合わされた前記補助ディスプレーパネルと前記糊代片とを前記リーフレット部から同時にミシン目によって切り離すことにより開封することを可能としていることを特徴とするボトルネッカー。
【請求項２】
前記リーフレット部の一部に切り取り可能なハガキ領域が形成されていることを特徴とする請求項１に記載のボトルネッカー。
【発明の詳細な説明】
【０００１】
【発明の属する技術分野】
本発明は、宣伝、広告用に使用されるボトルネッカーに関する。
【０００２】
【従来の技術】
従来のボトルネッカーは、新製品の販売促進のための宣伝、キャンペーンを進める一環として、ＰＯＰ広告（購買時点広告）的に新商品のボトルネックに吊り下げて使用され、店頭におけるアイキャッチ効果を高め、また消費者に対する情報提供の役割を果している。
形式的には、一枚の用紙片からなるものが多いが、ジグザグ折りしたり、観音折、巻き折り等によって複数ページからなるものも使用されている。
【０００３】
【発明が解決しようとする課題】
しかしながら、ボトルネッカーの大きさは対象となるボトルの大きさによって決定され、限界があるので、キャンペーンの告知、新商品に関する情報提供、さらに消費者の当該新商品に関する購入の動機、嗜好、セールスキャンペーンの一環として行うイベントや懸賞への参加希望、さらなる要望等の消費者側からの情報の伝達等のために使用する印刷スペースは不足しがちであるという問題があった。
また、ボトルネッカーの最表面は、新商品名、キャッチコピー等が印刷されるディスプレーパネルとして機能する部分であるが、従来のボトルネッカーでは吊り下げリングより下にディスプレーパネルが垂れ下がる形態であるため、一部がボトルの胴部を覆って位置的に下過ぎ、また、リング部が容易に見えてしまうために、外観上好ましくないという問題があった。
本発明は、前述の問題点に鑑みてなされたもので、限られた大きさでありながら印刷スペースを拡大して情報伝達量を増やし、限られた大きさ故に不足しがちなディスプレー面積を拡大し、且つ正面から見た場合、吊り下げリングが隠れるような体裁のよいディスプレーパネルを有するボトルネッカーの提供を目的とする。
【０００４】
【課題を解決するための手段】
前記課題を解決するためになされた本発明によるボトルネッカーは、４角形の第１〜第ｎ用紙片を折線を介して一方向に順に連接してなる短冊状のリーフレット部の連接方向である長手方向の一方の側の辺において、前記第１用紙片に補助ディスプレーパネルをミシン目を介して連接し、第３用紙片に糊代片をミシン目を介して連接し、前記第２用紙片に打ち抜き孔を設けた吊り下げリング片を連接し、他の側の辺において、前記第１用紙片に係止片を折線を介して連接してなるブランクを、第ｎ用紙片を内側にして前記折線で第１〜第ｎ用紙片を順次巻き折りし、さらにｎ枚に重合された前記リーフレット部を前記第１用紙片を表側にして前記折線と直角に裏側に二つ折りしてなり、前記第１用紙片の表面積の略半分と前記補助ディスプレーパネルの表面積との和からなる部分をディスプレー面とし、前記係止片と前記吊り下げリング片の前記打ち抜き孔との係止を可能とし、前記補助ディスプレーパネルと前記糊代片とを貼り合わせて封止し、貼り合わされた前記補助ディスプレーパネルと前記糊代片とを前記リーフレット部から同時にミシン目によって切り離すことにより開封することを可能としていることを特徴とするボトルネッカー。さらに、前記リーフレット部の一部に切り取り可能なハガキ領域が形成されてもよい。
【０００５】
【発明の実施の形態】
本発明を図面によりさらに詳細に説明する。
図１は、本発明によるボトルネッカーと従来のボトルネッカーの外観比較図である。
図１（ａ）は本発明によるボトルネッカー２０の外観図であり、図１（ｂ）は、従来の一般的なボトルネッカー３０の外観図である。
本発明によるボトルネッカー２０を一見して明らかに従来のものと異なる点は、ディスプレーパネルＤの位置が上方に持ち上げられ、その一部が吊り下げリング部を特に正面から見る場合に覆い隠していることである。従って本発明によるボトルネッカー２０においては、ディスプレー効果はさらによくなるとともに、外観的に、体裁的に優れたものとなっている。
なお、リーフレット部Ｌに関しては、若干厚めになっている以外は大きな差異は認められない。
【０００６】
図２は、本発明によるボトルネッカーのブランクの一例を示す展開図である。
本発明によるボトルネッカーのブランク１０は、図２に示すように、４角形の第１〜第４用紙片１〜４（以下１〜４の符号は省略する）を折線ａ，ｂ、ｃを介して一方向に順に連接してなる短冊状のリーフレット部Ｌの長手方向の一方の側（図では上側）において、第１用紙片に補助ディスプレーパネル５をミシン目ｍを介して連接し、第３用紙片に糊代片５’をミシン目ｍ’を介して連接し、前記第２用紙片に吊り下げリング片６を折線ｄを介して連接し、リーフレット部Ｌの他の側において、前記第１用紙片に係止片７を折線ｅを介して連接してなるものである。
本発明によるボトルネッカーのブランク１０を構成する用紙片の枚数ｎは、少なくとも３枚は必要であり、掲載する情報量、使用する用紙の厚み、剛性等を勘案しながら、必要に応じてさらに枚数ｎを増やすことができる。
補助ディスプレーパネル５の裏面と糊代片５’の表面には、それぞれ接着領域Ｎ、Ｎ’が設けられている。
また、第１用紙片の他の側に折線ｅを介して連接されている係止片７は、吊り下げリング片６の打ち抜き孔周辺部７’とともにリーフレット部Ｌの最後の二つ折の際の係止手段として機能する部分である。なお折線ｅはリード罫が好ましい。
このブランク１０において、ディスプレーパネルＤとして機能する部分は第１用紙片の表面の半分とそれにミシン目ｍを介して連接する補助ディスプレーパネル５とからなる斜線で示す領域である。
リーフレット部Ｌの幅は、従来のボトルネッカーのおよそ倍幅であって、リーフレット部Ｌの面積は極めて拡大されているので、伝達すべき情報量を増やすことが可能となり、新商品の内容説明、新商品やキャンペーン等の案内、キャンペーン参加、懸賞等への応募要項説明、アンケートやクイズの設問等を充分に記載することができる。また、例えば、図２に示すように、第３用紙片と第４用紙片をハガキ領域Ｈとして充当するならば、その表面には宛て先を、裏面にはアンケートやクイズの回答欄、個人の要望、意見等の記入欄等の個人情報記録欄として使用することもできる。
【０００７】
図３は、本発明によるボトルネッカーの製品説明図である。
図３（ａ）は本発明によるボトルネッカー２０の正面図であり、図３（ｂ）は裏面図である。
図３（ａ）に示すように、本発明によるボトルネッカー２０の正面には、第１用紙片の１／２と補助ディスプレーパネル５からなる斜線Ｄで示すディスプレーパネル領域Ｄが形成されている、この補助ディスプレーパネル５は，第１用紙片１の１／２のディスプレー面積だけでは不足しがちなディスプレーパネル面積を補足する機能を有するものであって、この面積は図３における高さ方向（図では上方向）に拡大することによってさらに拡大することが可能である。
なお、第１用紙片と補助ディスプレーパネル５の両面は、図１（ａ）に示すように、略、同一平面内に形成されている。
【０００８】
本発明によるボトルネッカーのブランク１０を折り畳んで図３に示すような形態にするには、
先ず、第４用紙片が最内部になるようにブランク１０を折線ａ〜ｃで巻き折りし、この時、対向する補助ディスプレーパネル５と糊代片５’とを接着部Ｎ，Ｎ’で接着させて封止し、次いでリーフレット部Ｌを第１用紙片１を表面にしてリーフレット部Ｌを縦断する中央線ｆで４枚の用紙片が重合するリーフレット部Ｌをさらに二つ折りし、次いで、図３（ｂ）に示すように、係止片７の両側突起部が吊り下げリング片６の打ち抜き孔の下部周辺部７’に隠れるように組み込んで係止させればよい。
この係止は、吊り下げリング片６を手前に倒しながら係止片７を吊り下げリング片６の打ち抜き孔に押し込むようにすれば、容易に実施することができ、逆にこの係止を外すには、図３（ｂ）の状態の係止片７の中央上辺に指を掛けて手前に引くようにすればよい。
一般に複数枚の用紙片を折り畳むと、折り目における反発力が強く働き、元の状態にもどろうとするが、以上の係止手段はこの反発力に打ち勝って、リーフレット部Ｌの二つ折状態を保持させるための機能を有するものである。
【０００９】
本発明によるボトルネッカー２０は、このようなフラットに折り畳まれた形態でユーザーに供給される。
その使用に当たって、ユーザーは、図１（ａ）に示すように、吊り下げリング片６を後方に折り曲げ、ボトルの口頚部の上から押し込むことによって容易に取り付けができる。取り付けの手間は、従来のボトルネッカー３０と変わらない。
こうして取り付けられた本発明によるボトルネッカー２０のディスプレーパネルＤは、対象とするボトルの形状にもよるが、若干後方に傾斜した状態となってボトルネックから吊り下がるが、その取り付け位置は前述のように従来のものに較べて上方に位置し、且つ、吊り下げリング片６が特に正面視の場合に覆い隠されるので外観をよくするように作用する。
一般に、ディスプレーパネルは、新製品名、キャッチコピー等が印刷、表示され、店頭において優れたアイキャッチ効果を発揮する部分であるので、本発明によるボトルネッカー２０のディスプレーパネルＤは、取り付け位置が上方に位置し、外観をよくすることによって、一層ボトル商品の店頭における訴求効果を高めることができる。
【００１０】
本発明によるボトルネッカー２０が取り付けられたボトル製品を持ち帰った消費者は、ボトルからボトルネッカー２０を外し、先ず、係止片７による係止を上記の方法で外し、補助ディスプレーパネル５と糊代片５’をミシン目ｍ，ｍ’で引き裂いて、リーフレット部Ｌから切り離すとリーフレット部を開封して、内部の情報を一覧することができる。
また、ハガキが内蔵されている場合は、ハガキ領域Ｈを切り取って、必要な個人情報を記入の上、切手を貼るかあるいは貼らずに投函すればよい。
【００１１】
本発明によるボトルネッカー２０に使用する用紙は、適度な剛性があり、鮮明なフルカラー印刷が可能であり、筆記性が良好であり、もし、ハガキ領域を設けるのであれば、郵便法に適合する範囲の用紙であれば、いかなるものを使用してもよい。例えばアートポスト系のもので坪量１５０〜２００ｇ／ｍ2 程度の板紙が好適に使用できる。
なお、郵便法によって、通常ハガキは、重量が２〜６ｇ、サイズが最大１５．４×１０．７ｃｍ，最小１４×９ｃｍと決められている。
また、印刷は、これまで公知のいかなる方法によってもよい。
【００１２】
【発明の効果】
本発明によれば、短冊状のリーフレット部Ｌの幅を従来の倍幅にすることによって記載情報量を増やすことができ、リーフレット部Ｌを従来よりも小さく折り込むことによって生じるディスプレーパネルＤ面積不足を補助ディスプレーパネル５を設けることによって補い、またこの補助ディスプレーパネル５によってディスプレーパネルＤの取り付け位置を上方に引き上げることができるばかりか、吊り下げリング片６を隠すことができるので外観がよくなり、アイキャッチ効果、訴求効果を一層高めることができる。
また、リーフレット部Ｌの任意の位置にハガキ領域を設けることによって、本発明によるボトルネッカー２０を採用するボトル商品のメーカーあるいはディーラーとしては、消費者の当該商品に関する購入の動機、嗜好、セールスキャンペーンの一環として行うイベントや懸賞への参加希望等に関する消費者情報を知ることができる。
さらに、リーフレット部の開封は、二つ折の係止を外し、互いに接着されている補助ディスプレーパネル５と糊代パネル５’をミシン目ｍ，ｍ’によって切り取るだけで容易に行うことができる。
【図面の簡単な説明】
【図１】本発明によるボトルネッカーと従来のボトルネッカーの外観比較図
【図２】本発明によるボトルネッカーのブランク展開図
【図３】本発明によるボトルネッカーの製品説明図
【符号の説明】
１〜４    第１〜第４用紙片
５    補助ディスプレーパネル
５’  糊代片
６    吊り下げリング片
７    係止片
１０    本発明によるボトルネッカーのブランク
２０    本発明によるボトルネッカー
３０    従来のボトルネッカー
ａ〜ｅ    折り線
ｆ    中央線
ｍ，ｍ’  ミシン目
Ｄ    ディスプレー領域
Ｈ    ハガキ領域
Ｌ    リーフレット部
Ｎ，Ｎ’  接着部
【図１】
0004334638.tif 000002
【図２】
0004334638.tif 000003
【図３】
0004334638.tif 000004